(57)【要約】【課題】取付構造の複雑化を抑制することができるハンモックの取付構造を提供する。【解決手段】取付部６のうち対向壁部１１Ａ，１１Ｂと対向する領域Ｅ１，Ｅ２、及び対向壁部１１Ａ，１１Ｂの何れか一方には突出部３０Ａ，３０Ｂが形成され、他方には突出部３０Ａ，３０Ｂを受容する受容部１６Ａ，１６Ｂが形成されている。このような構成により、取付部６を対向壁部１１Ａ，１１Ｂと帽体２の内面２ａとの間に差し込むことによって、受容部１６Ａ，１６Ｂの内部に突出部３０Ａ，３０Ｂを受容させて支持することができる。これによって、取付部６がブラケット１０から抜け落ちることを防止することができる。また、このような抜け落ち構造は、互いに対向する面に突出部３０Ａ，３０Ｂと受容部１６Ａ，１６Ｂを形成するだけのシンプルな構造にて抜け落ちを防止できる。【選択図】図３
2018083994.tif 000002
【特許請求の範囲】
【請求項１】
ハンモックの取付部を帽体の内面側に形成されたブラケットへ取り付けるハンモックの取付構造であって、
前記取付部は、前記ハンモックの帯部の先端側において板状に形成された部分を有し、
前記ブラケットは、
前記帽体の前記内面から離間して当該内面と対向する対向壁部を有し、
前記対向壁部よりも前記内面側に前記取付部を収容し、
前記取付部のうち前記対向壁部と対向する領域、及び前記対向壁部の何れか一方には突出部が形成され、他方には前記突出部を受容する受容部が形成されている、ハンモックの取付構造。
【請求項２】
前記取付部は、前記板状に形成された部分の縁部から前記内面側へ延びる壁部を有することで箱状に構成される、請求項１に記載のハンモックの取付構造。
【請求項３】
前記突出部は前記取付部に形成され、前記受容部として前記対向壁部に貫通孔または凹部が形成されている、請求項１又は２に記載のハンモックの取付構造。
【請求項４】
前記突出部は前記取付部に形成され、前記受容部として前記対向壁部に切欠部が形成されている、請求項１又は２に記載の取付構造。
【請求項５】
前記突出部は前記対向壁部に形成され、前記受容部として前記取付部に貫通孔または凹部が形成されている、請求項１又は２に記載のハンモックの取付構造。
【発明の詳細な説明】
【技術分野】
【０００１】
この発明は、ヘルメットに用いられるハンモックの取付構造に関する。
【背景技術】
【０００２】
従来、ヘルメットの帽体の内部に取り付けられるハンモックの取付構造として、特許文献１に記載されたものが知られている。この取付構造は、ハンモックの帯部の先端側に形成された取付部と、帽体側に形成されたブラケットとを備えている。取付部は、幅方向に突出する爪部と、当該爪部を幅方向に移動させるように使用者が操作するつまみ部と、を備えている。また、ブラケットは、爪部を係止させるための係止部材を有している。
【先行技術文献】
【特許文献】
【０００３】
【特許文献１】特開２０１１―８９２１４号公報
【発明の概要】
【発明が解決しようとする課題】
【０００４】
ここで、上述のような取付構造では、取付部が爪部を稼働させるためのつまみ部が必要となる。しかしながら、つまみ部を設ける場合、使用者が爪部を良好に操作できるようにするために、構造が複雑になるという問題がある。
【０００５】
本発明は、このような課題を解決するためになされたものであり、取付構造の複雑化を抑制することができるハンモックの取付構造を提供することを目的とする。
【課題を解決するための手段】
【０００６】
本発明に係るハンモックの取付構造は、ハンモックの取付部を帽体の内面側に形成されたブラケットへ取り付けるハンモックの取付構造であって、取付部は、ハンモックの帯部の先端側において板状に形成された部分を有し、ブラケットは、帽体の内面から離間して当該内面と対向する対向壁部を有し、対向壁部よりも内面側に取付部を収容し、取付部のうち対向壁部と対向する領域、及び対向壁部の何れか一方には突出部が形成され、他方には突出部を受容する受容部が形成されている。
【０００７】
本発明に係るハンモックの取付構造では、取付部は、ハンモックの帯部の先端側において板状に形成された部分を有している。また、ブラケットは、帽体の内面から離間して当該内面と対向する対向壁部を有し、対向壁部よりも内面側に取付部を収容できる。従って、ハンモックの取付部をブラケットの対向壁部と帽体の内面との間に差し込むようにして収容させることによって、ハンモックの取付部をブラケットに取り付けることができる。ここで、取付部のうち対向壁部と対向する領域、及び対向壁部の何れか一方には突出部が形成され、他方には突出部を受容する受容部が形成されている。このような構成により、取付部を対向壁部と帽体の内面との間に差し込むことによって、受容部の内部に突出部を受容させて支持することができる。これによって、取付部がブラケットから抜け落ちることを防止することができる。また、このような抜け防止構造は、互いに対向する面に突出部と受容部を形成するだけのシンプルな構造にて抜け落ちを防止できる。以上より、取付構造の複雑化を抑制することができる。
【０００８】
また、取付部は、板状に形成された部分の縁部から内面側へ延びる壁部を有することで箱状に構成されてよい。この場合、取付部がブラケットに取り付けられている状態では、板状に形成された部分が壁部を介して帽体の内面から離間している。従って、取付部をブラケットから取り外す時、使用者が板状に形成された部分を内面側へ押すことで、当該部分を内面側へ変形させ易くなる。これにより、突出部を受容部から抜くことで、取付部をブラケットから取り外し易くなる。
【０００９】
例えば、突出部は取付部に形成され、受容部として対向壁部に貫通孔または凹部が形成されていてよい。
【００１０】
例えば、突出部は取付部に形成され、受容部として対向壁部に切欠部が形成されていてよい。
【００１１】
例えば、突出部は対向壁部に形成され、受容部として取付部に貫通孔または凹部が形成されていてよい。
【発明の効果】
【００１２】
本発明によれば、取付構造の複雑化を抑制することができる。
【図面の簡単な説明】
【００１３】
【図１】図１は、本実施形態に係る取付構造で用いられるハンモックを平面状に展開した状態を示す図である。
【図２】図２は、帽体の内面側にハンモックを取り付けた場合の取付構造を示す斜視図である。
【図３】図３は、取付部をブラケットに取り付けた状態の取付構造を示す斜視図である。
【図４】図４は、取付部をブラケットから外した状態の取付構造を示す斜視図である。
【図５】変形例に係る取付構造を示す斜視図である。
【図６】変形例に係る取付構造を示す斜視図である。
【図７】図６のＶＩＩ―ＶＩＩ線に沿った断面図である。
【発明を実施するための形態】
【００１４】
以下、添付図面を参照して、本発明の実施形態について詳細に説明する。なお、以下の説明において、同一又は相当要素には同一符号を付し、重複する説明を省略する。
【００１５】
図１は、本実施形態に係る取付構造で用いられるハンモックを平面状に展開した状態を示す図である。図２は、帽体の内面側にハンモックを取り付けた場合の取付構造を示す斜視図である。なお、図２では、取付構造１００の様子を示すために帽体２は半分に分割され、ハンモック１も取付部６近辺の構成のみを示している。
【００１６】
ハンモック１は、帽体２の内面側に取り付けられることによって、使用者の頭部と帽体２の内面との間にスペースを設け、帽体２を頭部に保持し、当たりを良くして衝撃を緩和するための部材である。図１に示すように、ハンモック１は、帽体２の頭頂部の位置に配置される中央部３と、中央部３から外周側へ向かって四方へ延びる帯部４と、帯部４の先端側に形成される取付部６と、を備える。なお、ハンモック１は樹脂を成形することによって形成される。ハンモック１の材質は特に限定されないが、例えば、低密度ＰＥ（ポリエチレン）、ＰＰ（ポリプロピレン）、ＰＡ（ポリアミド（ナイロン））等を採用することができる。なお、帽体２は、例えばＡＢＳ（アクリロニトリルブタジエンスチレン）、ＰＣ（ポリカーボネート）、ＰＥ（ポリエチレン）、ＦＲＰ（繊維強化プラスチック）等の合成樹脂等により、椀状に構成されている。ハンモック１は、帽体２の内面２ａに沿って湾曲するように曲げられた状態で帽体２の内側に配置され、本実施形態に係る取付構造１００を用いて帽体２に取り付けられる。このように、帽体２にハンモック１を取り付け、また、併せてヘッドバンド等の着装部材を取り付けることにより、ヘルメット６０が構成される。
【００１７】
中央部３は、取付後は、帽体２の内面から離間し、使用者の頭頂部と接触する位置に配置される。従って、中央部３は、帽体２の内面２ａと使用者の頭頂部とを離間させることで、帽体２から使用者の頭頂部へ伝達される衝撃を緩和することができる。中央部３は、本発明では二重の略円環状の形状をなしているが、形状は特に限定されるものではなく、円環部材を組み合わせた構成でなくともよい。また、中央部３は、円環状ではなく多角形状などであってもよい。
【００１８】
帯部４は、中央部３の外周縁部（ここでは円環部材７）から径方向の外側へ向かって延びる帯状の部材である。ハンモック１を帽体２に取り付けたとき、帯部４は、頭頂部に配置される中央部３から、帽体２の縁部２ｂへ向かって延びる。帯部４は、帽体２の内面２ａから離間した位置にて、当該内面２ａの湾曲形状に沿って湾曲する。帯部４は、帽体２の縁部２ｂまで延びている。ハンモック１は、当該縁部２ｂに形成されたブラケット１０に帯部４の先端側の取付部６が取り付けられることで、帽体２に対して固定される。帯部４は、中央部３に対し、約９０°間隔で合計四個設けられている。従って、帽体２の縁部２ｂに形成されるブラケット１０も合計四個設けられる。ただし、帯部４同士の角度は約９０°でなくともよい。また、帯部４の本数も特に限定されない。
【００１９】
次に、図３及び図４を参照して、本実施形態に係るハンモック１の取付構造１００について詳細に説明する。取付構造１００は、ハンモック１の取付部６を帽体２の内面２ａ側に形成されたブラケット１０へ取り付けるための構造である。図３は、取付部をブラケットに取り付けた状態の取付構造を示す斜視図である。図４は、取付部をブラケットから外した状態の取付構造を示す斜視図である。なお、図４では帽体２の壁部を省略している。なお、以降の説明においては、使用者がヘルメット６０を装着しているときの状態を基準として各種部位の説明を行う。すなわち、帽体２の頭頂部側を「上」と称し、縁部２ｂ側を「下」と称する。また、以降の説明で「周方向」、「径方向」という語を用いた場合は、帽体２の縁部２ｂにおける周方向、及び径方向であるものとする。
【００２０】
ブラケット１０は、取付部６を支持することによって、当該取付部６を帽体２に対して固定するための部材である。図４に示すように、ブラケット１０は、一対の対向壁部１１Ａ，１１Ｂと、一対の側壁部１２Ａ，１２Ｂと、上壁部１３と、を備える。ブラケット１０は、対向壁部１１Ａ、１１Ｂよりも内面２ａ側に取付部６を収容するように構成される。すなわち、ブラケット１０は、内面２ａ、対向壁部１１Ａ，１１Ｂ、側壁部１２Ａ，１２Ｂ及び上壁部１３で囲まれる空間内に取付部６を収容する。
【００２１】
対向壁部１１Ａ，１１Ｂは、帽体２の内面２ａから径方向における内側へ離間して当該内面２ａと対向する。また、対向壁部１１Ａ，１１Ｂは、上下方向が長手方向となる略長方形形状を有している。具体的には、対向壁部１１Ａ，１１Ｂは、周方向における外側の側縁部１１ａ，１１ａと、周方向における内側の側縁部１１ｂ，１１ｂと、上側の上縁部１１ｃ，１１ｃと、下側の下縁部１１ｄ，１１ｄと、を有している。対向壁部１１Ａ，１１Ｂは、互いに周方向へ離間した位置に配置されている。従って、対向壁部１１Ａの側縁部１１ｂと対向壁部１１Ｂの側縁部１１ｂとは互いに周方向に離間している。対向壁部１１Ａの側縁部１１ｂと対向壁部１１Ｂの側縁部１１ｂとの間には空間１５が形成される（図４参照）。なお、対向壁部１１Ａ，１１Ｂには、受容部１６Ａ，１６Ｂが形成されている。受容部１６Ａ，１６Ｂの詳細な構成は取付部６の説明と合わせて後述する。
【００２２】
側壁部１２Ａ，１２Ｂは、帽体２の内面２ａと対向壁部１１Ａ，１１Ｂの側縁部１１ａ，１１ａとの間で径方向に延びるように形成されている。これにより、帽体２の内面２ａと対向壁部１１Ａ，１１Ｂの側縁部１１ａ，１１ａとの間の隙間が側壁部１２Ａ，１２Ｂで塞がれる。なお、側壁部１２Ａ，１２Ｂは、対向壁部１１Ａ，１１Ｂの下縁部１１ｄ，１１ｄよりも下方まで延びている。上壁部１３は、帽体２の内面２ａと対向壁部１１Ａ，１１Ｂの上縁部１１ｃ，１１ｃとの間で径方向に延びるように形成されている。また、上壁部１３は、対向壁部１１Ａの上縁部１１ｃと対向壁部１１Ｂの上縁部１１ｃとの間で周方向に延びている。これにより、帽体の内面２ａと対向壁部１１Ａ，１１Ｂの側縁部１１ｂ，１１ｂとの間の隙間が上壁部１３によって塞がれる。また、対向壁部１１Ａと対向壁部１１Ｂとの間で形成される空間の上端部分も上壁部１３によって塞がれる。なお、対向壁部１１Ａ，１１Ｂの下縁部１１ｄ，１１ｄ側は塞がれることなく、開口している。なお、対向壁部１１Ａ，１１Ｂの形状は特に限定されない。また各壁部１２Ａ，１２Ｂ，１３の形状も特に限定されず、一部が省略されてもよい。
【００２３】
取付部６は、ハンモック１の帯部４の先端側において板状に形成される部分（以降、板状部分３４と称する）を有する。取付部６は、周方向が長手方向となる略長方形形状を有している。取付部６は、内面２ａ、対向壁部１１Ａ，１１Ｂ、側壁部１２Ａ，１２Ｂ及び上壁部１３で囲まれる空間に対応する形状を有している。具体的には、取付部６は、側端部６ａ，６ｂと、上端部６ｃと、下端部６ｄと、を有している。また、取付部６は、径方向における内側（すなわち使用者の頭部と対向する側）に、主面６ｅを有している。主面６ｅは、板状部分３４の径方向の内側の面によって構成される。なお、取付部６は、板状部分３４の各縁部から径方向の外側、すなわち内面２ａ側へ延びる壁部３５，３６，３７，３８を有することで扁平な箱状に形成されている。壁部３５，３６，３７，３８が取付部６の端部６ａ，６ｂ，６ｃ，６ｄを構成している。取付部６がブラケット１０に取り付けられた状態では、取付部６の側端部６ａ，６ｂは、ブラケット１０の側壁部１２Ａ，１２Ｂの内側の面に対し、接触するように、又は僅かに離間するように対向する。また、取付部６の上端部６ｃは、ブラケット１０の上壁部１３の内側の面に対し、接触するように、又は僅かに離間するように対向する。取付部６の下端部６ｄは、対向壁部１１Ａ，１１Ｂの下縁部１１ｄ，１１ｄよりも下側に位置する。取付部６がブラケット１０に取り付けられた状態では、板状部分３４は、壁部３５，３６，３７，３８を挟んで内面２ａから離間する。
【００２４】
ここで、取付部６は、ブラケット１０への取付時において、対向壁部１１Ａ及び対向壁部１１Ｂと対向する領域Ｅ１，Ｅ２と、対向壁部１１Ａ，１１Ｂから露出する領域Ｅ３と、を有する。領域Ｅ３は、ブラケット１０のうち、対向壁部１１Ａと対向壁部１１Ｂとの間の空間１５から露出する部分と、対向壁部１１Ａ，１１Ｂの下縁部１１ｄ，１１ｄよりも下側にて露出する、下端部６ｄ付近の部分を有する。ここでは、領域Ｅ１と領域Ｅ３との境界部のうち、対向壁部１１Ａの側縁部１１ｂに対応する箇所を境界部２１Ａ、対向壁部１１Ａの下縁部１１ｄに対応する箇所を２２Ａとする。領域Ｅ２と領域Ｅ３との境界部のうち、対向壁部１１Ｂの側縁部１１ｂに対応する箇所を境界部２１Ｂ、対向壁部１１Ｂの下縁部１１ｄに対応する箇所を２２Ｂとする。
【００２５】
本実施形態では、取付部６のうち、領域Ｅ１，Ｅ２に該当する部分は、領域Ｅ３に該当する部分よりも、径方向の外側へ向かって窪んでいる。すなわち、取付部６のうち、領域Ｅ３に該当する部分は、領域Ｅ１，Ｅ２に該当する部分よりも、径方向の内側へ向かってせり出している。従って、境界部２１Ａ，２１Ｂ，２２Ａ，２２Ｂには、段差が形成される。なお、段差の高さは、対向壁部１１Ａ，１１Ｂの厚みと同程度としてよい。これにより、取付部６がブラケット１０に取り付けられて主面６ｅの領域Ｅ１，Ｅ２が対向壁部１１Ａ，１１Ｂの径方向の外側の面と接触している状態では、対向壁部１１Ａ，１１Ｂの径方向の内側の面と主面６ｅの領域Ｅ３とは、径方向において略同程度の位置に配置される。以上のような構成により、対向壁部１１Ａ，１１Ｂの側縁部１１ｂ，１１ｂが境界部２１Ａ，２１Ｂの段差に対するストッパーとして機能する。また、対向壁部１１Ａ，１１Ｂの下縁部１１ｄ，１１ｄが境界部２２Ａ，２２Ｂの段差に対するストッパーとして機能する。
【００２６】
ここで、領域Ｅ３のうち、対向壁部１１Ａ，１１Ｂの側縁部１１ｂ，１１ｂとの間の空間１５から露出する部分を取付部６の基体部２４とする。帯部４は、基体部２４の上端部にて接続されている。また、帯部４の幅方向（周方向）の寸法は、基体部２４の幅寸法と同程度、または小さく設定されている。また、帯部４における基体部２４との取り付け箇所付近には、径方向の内側へ立ち上がって湾曲して上方へ延びる湾曲部２７が形成されている。湾曲部２７の湾曲の大きさは、取付部６をブラケット１０に取り付けたときに、帯部４がブラケット１０の上壁部１３と干渉しない程度の大きさに設定されている。上述のような基体部２４を設定した場合、領域Ｅ１，Ｅ２は、基体部２４から、帯部４及び基体部２４よりも幅方向（周方向）における外側へ張り出す張出部２６Ａ，２６Ｂを構成していると言える。
【００２７】
次に、取付構造１００の抜け防止構造５０について説明する。上述のような構成を有する取付部６のうち対向壁部１１Ａ，１１Ｂと対向する領域Ｅ１，Ｅ２（すなわち張出部２６Ａ，２６Ｂ）には突出部３０Ａ，３０Ｂが形成される。本実施形態では、突出部３０Ａ，３０Ｂは、主面６ｅから径方向における内側へ突出する円柱状の形状を有している。突出部３０Ａは、取付部６の上端部６ｃと側端部６ａとの角部付近に形成されている。すなわち、突出部３０Ａは、領域Ｅ１のうち対向壁部１１Ａの下縁部１１ｄよりも上縁部１１ｃ寄りの位置に形成されている。突出部３０Ａは、上端部６ｃ、側端部６ａ、及び境界部２１Ａから主面６ｅの平面方向において離間した位置及び大きさに形成されている。突出部３０Ｂは、取付部６の上端部６ｃと側端部６ｂとの角部付近に形成されている。すなわち、突出部３０Ｂは、領域Ｅ２のうち対向壁部１１Ｂの下縁部１１ｄよりも上縁部１１ｃ寄りの位置に形成されている。突出部３０Ｂは、上端部６ｃ、側端部６ｂ、及び境界部２１Ｂから主面６ｅの平面方向において離間した位置及び大きさに形成されている。なお、突出部３０Ａ，３０Ｂの高さ、すなわち突出量は特に限定されないが、対向壁部１１Ａ、１１Ｂの厚さと同程度に設定されてよい。また、突出部３０Ａ，３０Ｂの形状は特に限定されない。
【００２８】
対向壁部１１Ａ，１１Ｂには、突出部３０Ａ，３０Ｂを受容する受容部１６Ａ，１６Ｂが形成されている。受容部１６Ａ，１６Ｂとして、対向壁部１１Ａ，１１Ｂに貫通孔が形成されている。当該貫通孔は、対向壁部１１Ａ、１１Ｂの厚さ方向に貫通する円形状の貫通孔である。ただし、受容部１６Ａ，１６Ｂは突出部３０Ａ，３０Ｂを収容できる程度の大きさを有する凹部であってもよい。受容部１６Ａ，１６Ｂは、取付部６をブラケット１０に取り付けたときに、突出部３０Ａ，３０Ｂを受容可能な位置及び大きさに形成されてよい。受容部１６Ａ，１６Ｂの径は、突出部３０Ａ，３０Ｂと同程度または大きく設定される。なお、受容部１６Ａ，１６Ｂと突出部３０Ａ，３０Ｂとの間に隙間が形成されてよいが、取付部６の過度ながたつきを防止できる程度の大きさに設定される。
【００２９】
受容部１６Ａは、対向壁部１１Ａのうち対向壁部１１Ａの下縁部１１ｄよりも上縁部１１ｃ寄りの位置に形成されている。受容部１６Ａは、上縁部１１ｃ、側縁部１１ａ、及び側縁部１１ｂから主面６ｅの平面方向において離間した位置及び大きさに形成されている。受容部１６Ｂは、対向壁部１１Ｂのうち対向壁部１１Ｂの下縁部１１ｄよりも上縁部１１ｃ寄りの位置に形成されている。受容部１６Ｂは、上縁部１１ｃ、側縁部１１ａ、及び側縁部１１ｂから主面６ｅの平面方向において離間した位置及び大きさに形成されている。
【００３０】
上述のように構成された取付部６をブラケット１０に取り付ける際の動作について説明する。取付時は、まず取付部６をブラケット１０の下側に配置する。取付部６を上へ移動させることで、取付部６の領域Ｅ１，Ｅ２、すなわち張出部２６Ａ，２６Ｂの上端部６ｃを対向壁部１１Ａ，１１Ｂの下縁部１１ｄ，１１ｄの開口部へ挿入する。これにより、張出部２６Ａ，２６Ｂの上端部６ｃ付近の部分を対向壁部１１Ａ，１１Ｂと内面２ａとの間に配置する。このとき、露出した領域Ｅ３、すなわち、基体部２４の上端付近の部分は、対向壁部１１Ａ，１１Ｂの下縁部１１ｄ，１１ｄ付近の空間１５から露出した状態となる。また、帯部４と対向壁部１１Ａ，１１Ｂとの干渉も回避される。このまま取付部６を上方へ移動させることで、突出部３０Ａ，３０Ｂが対向壁部１１Ａ，１１Ｂと内面２ａとの間に収納されながら上方へ向かう。そして、突出部３０Ａ，３０Ｂが受容部１６Ａ，１６Ｂに受容されることで、取付部６のブラケット１０への取付が完了する。
【００３１】
次に、取付部６をブラケット１０から取り外すときの動作について説明する。この場合、板状部分３４が壁部３５，３６，３７，３８を介して帽体２の内面２ａから離間している。従って、使用者が板状部分３４を内面２ａ側へ押すことで、当該板状部分３４を内面２ａ側へ変形させる。これにより、突出部３０Ａ，３０Ｂを受容部１６Ａ，１６Ｂから抜くことができる。その後、取付部６を下へずらすことでブラケット１０から取り外すことができる。
【００３２】
次に、本実施形態に係るハンモック１の取付構造１００の作用・効果を説明する。
【００３３】
本実施形態に係るハンモック１の取付構造１００において、取付部６は、ハンモック１の帯部４の先端側において板状に形成された部分（板状部分３４）を有している。また、ブラケット１０は、帽体２の内面２ａから離間して当該内面２ａと対向する対向壁部１１Ａ，１１Ｂを有し、対向壁部１１Ａ，１１Ｂよりも内面２ａ側に取付部６を収容できる。従って、ハンモック１の取付部６をブラケット１０の対向壁部１１Ａ，１１Ｂと帽体２の内面２ａとの間に差し込むようにして収容させることによって、ハンモック１の取付部６をブラケット１０に取り付けることができる。ここで、取付部６のうち対向壁部１１Ａ，１１Ｂと対向する領域Ｅ１，Ｅ２、及び対向壁部１１Ａ，１１Ｂの何れか一方には突出部３０Ａ，３０Ｂが形成され、他方には突出部３０Ａ，３０Ｂを受容する受容部１６Ａ，１６Ｂが形成されている。このような構成により、取付部６を対向壁部１１Ａ，１１Ｂと帽体２の内面２ａとの間に差し込むことによって、受容部１６Ａ，１６Ｂの内部に突出部３０Ａ，３０Ｂを受容させて支持することができる。これによって、取付部６がブラケット１０から抜け落ちることを防止することができる。また、このような抜け防止構造５０は、互いに対向する面に突出部３０Ａ，３０Ｂと受容部１６Ａ，１６Ｂを形成するだけのシンプルな構造にて抜け落ちを防止できる。以上より、取付構造１００の複雑化を抑制することができる。
【００３４】
ここで、例えば比較例として、取付部が、幅方向に突出する爪部と、当該爪部を幅方向に移動させるように使用者が操作するつまみ部と、を備えており、ブラケットが、爪部を係止させるための係止部材を有している構造（例えば特開２０１１―８９２１４号公報のような構成）について検討する。この様な構造では、爪部及びつまみ部を有する取付部の構成が複雑化することで、ハンモックの金型のコストが高くなるという問題が生じる。また、取付部のつまみ部はブラケットよりも外側に配置する必要があるので、取付部をブラケットからはみ出した大きな構造にする必要がある。また、取付部では爪部を弾性移動させる必要性があるため、ハンモックの材料として、弾性、すなわち可撓性を有するものを用いることが好ましい。従って、材料に制約が出てしまう。
【００３５】
それに対し、本実施形態に係るハンモック１の取付構造１００は、上述のように複雑化を抑制することができるので、取付部を形成するための金型のコストを安くすることができる。また、取付部６は、対向壁部１１Ａ，１１Ｂの内部の空間内に差し込むだけで取り付け及び抜け防止も行うことができる。従って、つまみ部のようにブラケットから大きくはみ出ることを抑制することができる。このように、取付部６がブラケット１０内に収容できる構成であるため、取付構造１００の寸法が抑えられ、レイアウト上の制限を低減することができる。また、比較例のような爪部及びつまみ部の構造とは異なり、受容部１６Ａ，１６Ｂにて突出部３０Ａ，３０Ｂを受容するだけの構成であるため、必ずしも弾性（すなわち可撓性）を有する部材を用いなくともよく、材料の制約を低減することができる。例えば、ハンモック１の材料として最も適切な低密度ＰＥ（ポリエチレン）等の柔らかい材料を用いることができる。
【００３６】
また、取付部６は、板状部分３４の縁部から内面２ａ側へ延びる壁部３５，３６，３７，３８を有している。この場合、取付部６がブラケット１０に取り付けられている状態では、板状部分３４が壁部３５，３６，３７，３８を介して帽体２の内面２ａから離間している。従って、取付部６をブラケット１０から取り外す時、使用者が基体部２４を内面２ａ側へ押すことで、当該板状部分３４を内面２ａ側へ変形させ易くなる。これにより、突出部３０Ａ，３０Ｂを受容部１６Ａ，１６Ｂから抜くことで、取付部６をブラケット１０から取り外し易くなる。
【００３７】
また、突出部３０Ａ，３０Ｂは取付部６に形成され、受容部１６Ａ，１６Ｂとして対向壁部１１Ａ，１１Ｂに貫通孔または凹部が形成されている。この場合、少なくとも図５に示す構成に比して、帯部４を帽体２の径方向の内側へ引っ張るような力が加わった場合に、突出部３０Ａ，３０Ｂが抜け防止の機能を発揮し易くなる。
【００３８】
本発明は、上述の実施形態に限定されるものではない。
【００３９】
例えば、突出部及び受容部の構造は上述の実施形態に限定されず、図５に示す取付構造２００を採用してもよい。取付構造２００の抜け防止構造１５０では、突出部１３０Ａ，１３０Ｂは取付部６に形成され、受容部１１６Ａ，１１６Ｂとして対向壁部１１Ａ，１１Ｂに切欠部が形成されている。突出部１３０Ａ，１３０Ｂは、境界部２１Ａ，２１Ｂから領域Ｅ１，Ｅ２へ向けて径方向に延びている。突出部１３０Ａ，１３０Ｂは、略Ｕ字状の形状をなしている。また、受容部１１６Ａ，１１６Ｂは、対向壁部１１Ａ，１１Ｂの内側の側縁部１１ｂ，１１ｂを略Ｕ字状に切り欠くことによって構成されている。なお、受容部１１６Ａ，１１６Ｂを構成する切欠部は、対向壁部１１Ａ，１１Ｂを厚さ方向に完全に貫通しているが、完全に貫通していなくてもよい。図５に示すような取付構造２００によれは、形状をシンプルにし易くすることができる。例えば、図４に示す構造では、受容部１６Ａ，１６Ｂと側縁部１１ｂ，１１ｂとの間に樹脂の部位が形成されているが、図５の取付構造２００では、当該部位を設ける必要がなく省略することができる。従って、その分だけコンパクトな形状を形成できる。
【００４０】
また、突出部及び受容部の構造は上述の実施形態に限定されず、図６及び図７に示す取付構造３００を採用してもよい。取付構造３００の抜け防止構造２５０では、突出部２３０Ａ，２３０Ｂは対向壁部１１Ａ，１１Ｂに形成され、受容部２１６Ａ，２１６Ｂとして取付部６に貫通孔（または凹部）が形成されていてよい。図７では、対向壁部１１Ｂ側の断面のみを示しているが、対向壁部１１Ａ側も同様な構成を有している。突出部２３０Ａ，２３０Ｂは、図３の形態における受容部１６Ａ，１６Ｂに対応する位置において、対向壁部１１Ａ，１１Ｂの内面２ａ側の面から当該内面２ａへ向かって突出している。また、受容部２１６Ａ，２１６Ｂは、図３の形態における突出部３０Ａ，３０Ｂに対応する位置に形成されている。以上より、図６に示すような取付構造３００によれば、突出部や受容部の形状が外から見えなくなるため、デザイン上のメリットがある。
【００４１】
また、取付部６及びブラケット１０の形状は上述のような各実施形態に限定されるものではなく、適宜変更してもよい。
【符号の説明】
【００４２】
１…ハンモック、２…帽体、４…帯部、６…取付部、１０…ブラケット、１１Ａ，１１Ｂ…対向壁部、１６Ａ，１６Ｂ，１１６Ａ，１１６Ｂ，２１６Ａ，２１６Ｂ…受容部、３０Ａ，３０Ｂ，１３０Ａ，１３０Ｂ，２３０Ａ，２３０Ｂ…突出部。
【図１】
2018083994.tif 000003
【図２】
2018083994.tif 000004
【図３】
2018083994.tif 000005
【図４】
2018083994.tif 000006
【図５】
2018083994.tif 000007
【図６】
2018083994.tif 000008
【図７】
2018083994.tif 000009